(57)【要約】【課題】共通電圧信号の歪曲現象を除去することによってグリニッシュ現象を防止できる液晶表示装置のドット反転駆動方法を提供する。【解決手段】各々の水平ライン方向に反復配列された複数のドットからなる複数のＲ、Ｇ、Ｂドットコラム（ｄｏｔ  ｃｏｌｕｍｎ）のセットを複数有する液晶表示装置のドット反転駆動方法において、所定数のＲ、Ｇ、Ｂドットコラムを１セットとしてドット反転させる段階と、前記ドット反転させた１セットのＲ、Ｇ、Ｂドットコラムに隣接するＲ、Ｇ、Ｂドットコラムセットを、極性が相反するように反転駆動させる段階とを有し、前記各々の段階で、同一のＲ、Ｇ、Ｂドットコラムセット内で２個のドットコラム単位でＲ、Ｇ、Ｂドットコラムを反転駆動させる。【選択図】図３
2004302403.tif 000002
【特許請求の範囲】
【請求項１】
各々の水平ライン方向に反復配列された複数のドットからなる複数のＲ、Ｇ、Ｂドットコラム（ｄｏｔ  ｃｏｌｕｍｎ）のセットを複数有する液晶表示装置のドット反転駆動方法において、
所定数のＲ、Ｇ、Ｂドットコラムを１セットとしてドット反転させる段階と、
前記ドット反転させた１セットのＲ、Ｇ、Ｂドットコラムに隣接するＲ、Ｇ、Ｂドットコラムセットを、極性が相反するように反転駆動させる段階とを有し、
前記各々の段階で、同一のＲ、Ｇ、Ｂドットコラムセット内で２個のドットコラム単位でＲ、Ｇ、Ｂドットコラムを反転駆動させることを特徴とする液晶表示装置のドット反転駆動方法。
【請求項２】
前記１セットのＲ、Ｇ、Ｂドットコラムは、４個のＲ、Ｇ、Ｂドットコラムで構成されることを特徴とする請求項１に記載の液晶表示装置のドット反転駆動方法。
【請求項３】
前記Ｒ、Ｇ、Ｂドットコラムは、１水平ライン方向単位でドット反転駆動されることを特徴とする請求項１に記載の液晶表示装置のドット反転駆動方法。
【請求項４】
前記Ｒ、Ｇ、Ｂドットコラムは、２水平ライン方向単位でドット反転駆動されることを特徴とする請求項１に記載の液晶表示装置のドット反転駆動方法。
【発明の詳細な説明】
【技術分野】
【０００１】
本発明は液晶表示装置のドット反転駆動方法に関するものであり、より詳細には画面が薄くなるグリニッシュ（Ｇｒｅｅｎｉｓｈ）現象を除去することができる液晶表示装置のドット反転駆動方法に関するものである。
【背景技術】
【０００２】
一般的に、液晶表示パネルを駆動させるために印加する駆動電圧は、ドット単位やライン単位またはフレーム単位で極性が反転される。その理由は、同一極性の駆動電圧が継続的に液晶セルに印加される場合に、液晶物質内にイオン性不純物が堆積（ｄｅｐｏｓｉｔ）することにより、画素電極と対向電極において、電気的、化学的な変化が生じて、これによって画面の輝度や表示応答感度が低下されるためである。
したがって、このような問題点を防止するために反転駆動方式すなわち、液晶セルに印加される電圧の極性を周期的に反転させる駆動方式が使用されている（例えば、特許文献１参照）。
【０００３】
特に、単一の画素単位で電圧の極性を反転させる反転駆動方式を１ドット反転駆動方式と称するが、このような１ドット反転駆動方式は、液晶表示パネルに供給されるデータ信号の極性が液晶表示パネル上のすべてのソースライン、ゲートライン、及びフレームごとに反転される。
【０００４】
図１は、従来のドット反転駆動方式によるドットパターンを示した図面であり、図に示すように、Ｒ、Ｇ、Ｂドットコラムが水平ライン方向に反復的に配列された複数のドットを有する。
【０００５】
図１の第１水平ラインにおいて、一番目のドット１が“＋”極性で充電された後に２番目のドット２が“−”極性に反転される瞬間、一番目のドット１の画素電極と２番目のドット２の画素電極との間の寄生キャパシタンスを通過する交流（ＡＣ）電流が発生して、２番目のドット２の画素電極の充電率が低下する。同様に、第１水平ラインのすべてのドットが充電された後、第２水平ラインの一番目のドットが充電される時にも極性反転が対応画素電極の充電率の低下の要因となる。
【０００６】
したがって、一番目のドット１に比べて２番目のドット２の輝度が充電率低下によって減少するために、画面上には画素ごとに薄い輝度差、すなわちグリニッシュ（Ｇｒｅｅｎｉｓｈ）現象が発生するようになる。
【０００７】
図２は、従来のドット反転駆動方式による波形を示した波形図であり、図に示すように、各ドットコラム（１，２，３）／（４，５，６）に印加される電圧が極性反転によって非対称的に充電されるために、それによって画素電極内に共通電圧信号（Ｖｃｏｍ）を歪曲させる寄生キャパシタンスが発生するという問題があった。
【０００８】
【特許文献１】国際公開ＷＯ９６／０１６３４７号パンフレット
【発明の開示】
【発明が解決しようとする課題】
【０００９】
そこで、本発明は上記従来の液晶表示装置のドット反転駆動方法における問題点に鑑みてなされたものであって、本発明の目的は、２個のコラム周期でドット反転する２ドット反転駆動方式とこれを変形したドット反転駆動方式を使用して共通電圧信号の歪曲現象を除去することによってグリニッシュ現象を防止できる液晶表示装置のドット反転駆動方法を提供することにある。
【課題を解決するための手段】
【００１０】
上記目的を達成するためになされた本発明による液晶表示装置のドット反転駆動方法は、各々の水平ライン方向に反復配列された複数のドットからなる複数のＲ、Ｇ、Ｂドットコラム（ｄｏｔ  ｃｏｌｕｍｎ）のセットを複数有する液晶表示装置のドット反転駆動方法において、所定数のＲ、Ｇ、Ｂドットコラムを１セットとしてドット反転させる段階と、前記ドット反転させた１セットのＲ、Ｇ、Ｂドットコラムに隣接するＲ、Ｇ、Ｂドットコラムセットを、極性が相反するように反転駆動させる段階とを有し、前記各々の段階で、同一のＲ、Ｇ、Ｂドットコラムセット内で２個のドットコラム単位でＲ、Ｇ、Ｂドットコラムを反転駆動させることを特徴とする。
【発明の効果】
【００１１】
本発明による液晶表示装置のドット反転駆動方法によれば、２ドット反転駆動方式の適用により画素間の充電量の差で発生する共通電圧信号の歪曲現象を減少させることによって、パネルの設計変更がなく画面に現れるグリニッシュ現象を防止でき、結果的に高画質の液晶表示装置を具現することができる効果がある。
【発明を実施するための最良の形態】
【００１２】
次に、本発明に係る液晶表示装置のドット反転駆動方法を実施するための最良の形態の具体例を図面を参照しながら説明する。
【００１３】
本発明に係る液晶表示装置は、多数のゲートライン、多数のゲートラインと交差する多数のデータライン、多数のデータラインとゲートラインが交差する領域に形成された薄膜トランジスタとが行列の形態で配列された多数の画素を有する。各画素はＲ、Ｇ、Ｂドットを形成しており、Ｒ、Ｇ、Ｂドットは液晶表示パネルのコラム方向に配列された構造になっている。
【００１４】
周知のように、液晶表示装置の駆動方法は、コントローラ部で液晶表示パネルを反転駆動させるための駆動信号を発生させ、その駆動信号は液晶表示パネルの側部に配置されたソースドライバー及びゲートドライバーに各々供給される。ソースドライバーはコントローラ部からの駆動信号に対応する階調電圧をソースラインに供給する。
【００１５】
本発明においては、１ドット反転駆動方式で発生するグリニッシュ現象を防止するために２ドット反転駆動方式を採用する。
本発明に係る２ドット反転駆動方式は、４個のＲ、Ｇ、Ｂドットコラムを１セットとしてこのセット内でドット反転させる。お互い隣り合うセットは対応するドットコラムの極性が反対になるように反転駆動させ、さらに、同一セット内では２個のドットコラム単位でＲ、Ｇ、Ｂドットコラムを反転駆動させる。ここで、例えば、水平ラインが４個で１フレームの場合、１セットは、４×１２＝４８個のドットでなされる。
【実施例１】
【００１６】
図３は、本発明に係る実施例１によるドットパターンを示した図面であり、図に示すように、２個のドットコラム単位でＲ、Ｇ、Ｂドットコラムを反転駆動させ、また、Ｒ、Ｇ、Ｂドットコラムを１個の水平ライン単位にドット反転駆動させる。
【００１７】
より詳細には、水平ライン方向に１２個のドットコラム（１〜１２）が第１セット（１〜１２）をなして、第１セット（１〜１２）において各ドットの極性が隣り合う第２セット（１３〜２４）の対応ドットとお互い相反する極性を有するように反転駆動させる。
【００１８】
また、第１セットの第１の水平ラインにおいて１番目のドット（Ｒ）と２番目のドット（Ｇ）が“＋”極性で駆動される場合に、３番目のドット（Ｂ）と４番目のドット（Ｒ）は各々“−”極性に反転駆動される。
【００１９】
また、第１セットの第１コラムラインにおいて、１番目のドット（Ｒ）が“＋”極性で駆動される場合に、２番目のドット（Ｒ）（言い換えると、第２の水平ラインの１番目のドット（Ｒ））は“−”極性に反転駆動される。
【実施例２】
【００２０】
図４は、本発明に係る実施例２によるドットパターンを示した図面であり、図に示すように、２個のドットコラム単位でＲ、Ｇ、Ｂドットコラムを反転駆動させ、Ｒ、Ｇ、Ｂドットコラムを２個の水平ライン単位にドット反転駆動させる。
【００２１】
より詳細には、水平ライン方向に１２個のドットコラム（１〜１２）で１セットをなして、第１セット（１〜１２）において各ドットの極性は隣り合う第２セット（１３〜２４）の対応ドットとお互い相反された極性を有するように反転駆動させる。
【００２２】
また、第１セットの第１の水平ラインにおいて、一番目のドット（Ｒ）と二番目のドット（Ｇ）が“＋”極性で駆動される場合に、３番目のドット（Ｂ）と４番目のドット（Ｒ）は各々“−”極性に反転駆動される。
【００２３】
また、第１セットの第１コラムラインにおいて、一番目のドット（Ｒ）及び二番目のドット（Ｒ）が“＋”極性で駆動される場合に、３番目のドット（Ｒ）及び４番目のドット（Ｒ）（言い換えると、第３の水平ラインの１番目のドット（Ｒ）と第４の水平ラインの１番目のドット（Ｒ））は“−”極性に反転駆動される。
【００２４】
上述したように、液晶表示装置に２ドット反転駆動方式を適用すれば、各画素間の充電量の差が減少し、共通電圧信号の歪曲現象が減少することができる。
【００２５】
尚、本発明は、上述の実施例に限られるものではない。本発明の技術的範囲から逸脱しない範囲内で多様に変更実施することが可能である。
【図面の簡単な説明】
【００２６】
【図１】従来のドット反転駆動方式によるドットパターンを示した図面である。
【図２】従来のドット反転駆動方式による波形を示した波形図である。
【図３】本発明に係る実施例１によるドット反転駆動方式を適用したドットパターンを示した図面である。
【図４】本発明に係る実施例２によるドット反転駆動方式を適用したドットパターンを示した図面である。
【符号の説明】
【００２７】
１〜１２        ドットコラム（第１セット）
１３〜２４      ドットコラム（第２セット）
【図１】
2004302403.tif 000003
【図２】
2004302403.tif 000004
【図３】
2004302403.tif 000005
【図４】
2004302403.tif 000006